(57)【要約】【課題】乳幼児のトイレトレーニングをより促し、継続させることができるトイレトレーニング用プログラム、トイレトレーニング方法、及びトイレトレーニングシステムを提供する。【解決手段】撮影部（１６）及び表示部（１４）を備えたコンピューター（１）に、トイレに行った乳幼児が前記撮影部（１６）によって撮影された撮影画像を取得する取得処理と、前記乳幼児を褒めるための所定の図柄（６２、７１）と前記撮影画像を含んだ、前記乳幼児を褒めるための褒め表示（７３）を、前記表示部（１４）に表示させる褒め表示処理を実行させることを特徴とするトイレトレーニング用プログラムである。【選択図】図１２
2018163242.tif 000002
【特許請求の範囲】
【請求項１】
撮影部及び表示部を備えたコンピューターに、
トイレに行った乳幼児が前記撮影部によって撮影された撮影画像を取得する取得処理と、
前記乳幼児を褒めるための所定の図柄と前記撮影画像を含んだ、前記乳幼児を褒めるための褒め表示を、前記表示部に表示させる褒め表示処理を実行させることを特徴とするトイレトレーニング用プログラム。
【請求項２】
請求項１のトイレトレーニング用プログラムであって、
前記図柄は、予め記憶された複数の異なる記憶図柄から選択された１又は複数の図柄であることを特徴とするトイレトレーニング用プログラム。
【請求項３】
請求項２に記載のトイレトレーニング用プログラムであって、
前記記憶図柄のうちの複数の選択用図柄を前記表示部に表示させる表示処理を実行させ、
前記褒め表示処理において、前記選択用図柄のうち、前記コンピューターの操作者又は前記乳幼児によって選択された１又は複数の図柄を、前記表示部に表示させることを特徴とするトイレトレーニング用プログラム。
【請求項４】
請求項２又は３に記載のトイレトレーニング用プログラムであって、
前記記憶図柄の数を増加させる増加処理を実行させることを特徴とするトイレトレーニング用プログラム。
【請求項５】
請求項４に記載のトイレトレーニング用プログラムであって、
前記増加処理を、前記褒め表示処理の実行回数に応じて実行させることを特徴とするトイレトレーニング用プログラム。
【請求項６】
請求項４又は５に記載のトイレトレーニング用プログラムであって、
前記増加処理において増加された図柄を前記表示部に自動的に表示させることを特徴とするトイレトレーニング用プログラム。
【請求項７】
請求項５又は６に記載のトイレトレーニング用プログラムであって、
所定時間が経過するまでにおける前記褒め表示処理の実行回数に対する前記増加処理の実行回数は、
前記所定時間が経過した後における前記褒め表示処理の実行回数に対する前記増加処理の実行回数より多いことを特徴とするトイレトレーニング用プログラム。
【請求項８】
請求項７に記載のトイレトレーニング用プログラムであって、
前記所定時間が経過した後で、所定期間に対する前記褒め表示処理の実行回数が、所定の回数よりも少ない場合には、
前記所定期間における前記褒め表示処理の実行回数に対する前記増加処理の実行回数よりも、前記増加処理の実行回数を増加させることを特徴とするトイレトレーニング用プログラム。
【請求項９】
請求項３から８のいずれか１項に記載のトイレトレーニング用プログラムであって、
前記乳幼児の性別及び年齢の少なくとも１つの個人情報の入力を受け付ける個人情報入力受付処理を実行させ、
前記選択用図柄は、前記記憶図柄の中から前記個人情報に対応して選択された図柄であることを特徴とするトイレトレーニング用プログラム。
【請求項１０】
請求項３から８のいずれか１項に記載のトイレトレーニング用プログラムであって、
前記撮影部によってプログラム起動識別子が撮影されると前記プログラムを起動させ、
前記選択用図柄は、前記記憶図柄の中から前記プログラム起動識別子に対応して選択された図柄であることを特徴とするトイレトレーニング用プログラム。
【請求項１１】
請求項１０に記載のトイレトレーニング用プログラムであって、
前記プログラム起動識別子は、トイレトレーニング用台紙に設けられており、
前記トイレトレーニング用台紙は、前記コンピューターの操作者又は前記乳幼児が、前記乳幼児がトイレトレーニングを行った際に完了サインを付与するための台紙であることを特徴とするトイレトレーニング用プログラム。
【請求項１２】
請求項３から１１のいずれか１項に記載のトイレトレーニング用プログラムであって、
前記褒め表示処理の後に、異なるスキンシップの方法に対応付けられた複数の選択肢を表示させ、
前記複数の選択肢は、前記スキンシップの方法が隠された状態であり、
前記コンピューターの操作者又は前記乳幼児によって、前記複数の選択肢のうちの１つの選択肢が選択されると、選択された前記選択肢に対応付けられた前記スキンシップの方法を表示させることを特徴とするトイレトレーニング用プログラム。
【請求項１３】
請求項１２に記載のトイレトレーニング用プログラムであって、
前記褒め表示処理の後に、前記複数の選択肢の少なくとも１に替えて前記選択用図柄とは異なる新しい図柄が隠された状態の新選択肢を表示させ、
前記操作者又は前記乳幼児によって前記新選択肢が選択されると、前記新しい図柄を表示させ、
前記新しい図柄を記憶させて、前記記憶図柄の数を増加させる増加処理を実行させることを特徴とするトイレトレーニング用プログラム。 
【請求項１４】
請求項４に記載のトイレトレーニング用プログラムであって、
前記乳幼児のトイレトレーニングのときの様子についての入力を受け付ける入力受付処理を実行させ、
前記増加処理を、前記入力受付処理の実行回数に応じて実行させることを特徴とするトイレトレーニング用プログラム。 
【請求項１５】
請求項１３に記載のトイレトレーニング用プログラムであって、
前記乳幼児のトイレトレーニングの達成度合いの入力を受け付ける処理を実行させ、
受け付けた前記達成度合いに応じて、前記新選択肢を表示させる処理を実行させることを特徴とするトイレトレーニング用プログラム。
【請求項１６】
１回のトイレトレーニング中において、
請求項６に記載の前記表示部に自動的に表示させることと、請求項１３に記載の前記新選択肢を表示させることの両方が実行されることを禁止する禁止処理を実行させることを特徴とするトイレトレーニング用プログラム。
【請求項１７】
請求項１から１６のいずれか１項に記載のトイレトレーニング用プログラムであって、
前記取得処理の前に、前記乳幼児をトイレに誘導するための誘導表示を前記表示部に表示させる誘導表示処理を実行させ、
前記誘導表示は、前記乳幼児にトイレを想起させるための画像又は動画であることを特徴とするトイレトレーニング用プログラム。
【請求項１８】
請求項１７に記載のトイレトレーニング用プログラムであって、
前記誘導表示は、前記乳幼児が使用する吸収性物品に関連付けられたキャラクターがトイレに行く姿を示した画像又は動画であることを特徴とするトイレトレーニング用プログラム。
【請求項１９】
コンピューターが、
トイレに行った乳幼児が前記コンピューターに備えられた撮影部によって撮影された撮影画像を取得する取得ステップと、
前記乳幼児を褒めるための所定の図柄と前記撮影画像を含んだ、前記乳幼児を褒めるための褒め表示を、前記コンピューターに備えられた表示部に表示させる褒め表示ステップと、を有することを特徴とするトイレトレーニング方法。
【請求項２０】
トイレに行った乳幼児がコンピューターシステムに備えられた撮影部によって撮影された撮影画像を取得する取得処理部と、
前記乳幼児を褒めるための所定の図柄と前記撮影画像を含んだ、前記乳幼児を褒めるための褒め表示を、前記コンピューターシステムに備えられた表示部に表示させる褒め表示処理部と、を有することを特徴とするトイレトレーニング用コンピューターシステム。
【発明の詳細な説明】
【技術分野】
【０００１】
本発明は、トイレトレーニング用プログラム、トイレトレーニング方法、及びトイレトレーニング用コンピューターシステムに関する。
【背景技術】
【０００２】
乳幼児は、成長の過程において、おむつを着用した状態からトイレで排泄ができるようにトレーニングを行う。このとき、特許文献１に示すように、幼児用補助便座１を大人用便座に載置して、幼児にトイレでの排泄を促すことが知られている。
【先行技術文献】
【特許文献】
【０００３】
【特許文献１】特開２００５−３２３８６９号
【発明の概要】
【発明が解決しようとする課題】
【０００４】
しかしながら、乳幼児が特許文献１に記載の幼児用補助便座１に座ることを拒んだりして、乳幼児や保護者がストレスを感じることあったり、乳幼児がトイレトレーニングに飽きてしまったりして、乳幼児及び保護者がトイレトレーニングを継続できない場合があった。
【０００５】
本発明は、上記のような従来の問題に鑑みてなされたものであって、その目的は、乳幼児のトイレトレーニングをより促し、継続させることができるトイレトレーニング用プログラム、トイレトレーニング方法、及びトイレトレーニングシステムを提供することにある。
【課題を解決するための手段】
【０００６】
上記目的を達成するための主たる発明は、撮影部及び表示部を備えたコンピューターに、トイレに行った乳幼児が前記撮影部によって撮影された撮影画像を取得する取得処理と、前記乳幼児を褒めるための所定の図柄と前記撮影画像を含んだ、前記乳幼児を褒めるための褒め表示を、前記表示部に表示させる褒め表示処理を実行させることを特徴とするトイレトレーニング用プログラムである。
本発明の他の特徴については、本明細書及び添付図面の記載により明らかにする。
【発明の効果】
【０００７】
本発明によれば、トイレトレーニングを行った乳幼児は、所定の図柄で装飾された乳幼児の姿を褒め表示画面を通じて見ることができるため、褒められていることを実感することができ、達成感を感じやすくなるため、トイレトレーニングをより促し、乳幼児及びコンピューターの操作者のトイレトレーニングを継続させる意欲を向上させやすくなる。
【図面の簡単な説明】
【０００８】
【図１】図１は、端末１の機能上の構成を示すブロック図である。
【図２】図２は、本実施形態の初期設定の流れを説明する図である。
【図３】図３は、本実施形態のプログラムのモード選択の流れについて説明する図である。
【図４】図４は、本実施形態のトイレトレーニングの流れを説明する図である。
【図５】図５は、本実施形態のトイレトレーニングの流れを説明する図である。
【図６】図６は、本実施形態の記録の流れについて説明する図である。
【図７】図７は、個人情報入力表示２０を説明する図である。
【図８】図８は、メニュー表示３０を説明する図である。
【図９】図９は、撮影用画面６０を説明する図である。
【図１０】図１０は、撮影後画面６５を説明する図である。
【図１１】図１１は、選択用図柄７１について説明する図である。
【図１２】図１２は、褒め表示７３について説明する図である。
【図１３】図１３は、選択肢表示画面８０を説明する図である。
【図１４】図１４は、スキンシップ方法の表示画面８２を説明する図である。
【図１５】図１５は、新図柄の表示画面８６を説明する図である。
【図１６】図１６は、記録リスト１００を説明する図である。
【図１７】図１７は、カレンダー表示１１０を説明する図である。
【図１８】図１８は、入力画面１２０を説明する図である。
【図１９】図１９は、誘導表示の一例を示す図である。
【発明を実施するための形態】
【０００９】
本明細書及び添付図面の記載により、少なくとも以下の事項が明らかとなる。  
撮影部及び表示部を備えたコンピューターに、トイレに行った乳幼児が前記撮影部によって撮影された撮影画像を取得する取得処理と、前記乳幼児を褒めるための所定の図柄と前記撮影画像を含んだ、前記乳幼児を褒めるための褒め表示を、前記表示部に表示させる褒め表示処理を実行させることを特徴とするトイレトレーニング用プログラムである。
【００１０】
このようなトイレトレーニング用プログラムによれば、トイレトレーニングを行った乳幼児及びコンピューターの操作者は、所定の図柄で装飾された乳幼児の姿を褒め表示画面を通じて見ることができるため、褒められていることを実感することができ、達成感を感じやすくなるため、トイレトレーニングをより促し、乳幼児及び操作者のトイレトレーニングを継続させる意欲を向上させやすくなる。
【００１１】
かかるトイレトレーニング用プログラムであって、前記図柄は、予め記憶された複数の異なる記憶図柄から選択された１又は複数の図柄であることが望ましい。
【００１２】
このようなトイレトレーニング用プログラムによれば、乳幼児及び操作者は、異なる図柄が表示された褒め表示を見ることができるため、乳幼児及び操作者がトイレトレーニングに飽きてしまう恐れを軽減させることができる。
【００１３】
かかるプログラムであって、トイレトレーニング用プログラムであって、前記記憶図柄のうちの複数の選択用図柄を前記表示部に表示させる表示処理を実行させ、前記褒め表示処理において、前記選択用図柄のうち、前記コンピューターの操作者又は前記乳幼児によって選択された１又は複数の図柄を、前記表示部に表示させることが望ましい。
【００１４】
このようなトイレトレーニング用プログラムによれば、コンピューターの操作者又は乳幼児は褒め表示として表示させる図柄を選択することができるため、楽しみながらトイレトレーニングを行うことができる。
【００１５】
かかるトイレトレーニング用プログラムであって、前記記憶図柄の数を増加させる増加処理を実行させることが望ましい。
【００１６】
このようなトイレトレーニング用プログラムによれば、乳幼児及び操作者は新しい図柄を見ることができるためトイレトレーニングに飽きてしまう恐れを軽減させることができる。
【００１７】
かかるトイレトレーニング用プログラムであって、前記増加処理を、前記褒め表示処理の実行回数に応じて実行させることが望ましい。
【００１８】
このようなトイレトレーニング用プログラムによれば、トイレトレーニングを行う回数に応じて乳幼児及び操作者は新しい図柄を見ることができるため、トイレトレーニングを行う意欲を向上させ、トイレトレーニングに飽きてしまう恐れを軽減させることができる。
【００１９】
かかるトイレトレーニング用プログラムであって、前記増加処理において増加された図柄を前記表示部に自動的に表示させることが望ましい。
【００２０】
このようなトイレトレーニング用プログラムによれば、コンピューターの操作者及び乳幼児は、新しい図柄が増えたことを認識しやすくなり、図柄が増えるほど、表示部に表示させる図柄が増えるため、操作者がより楽しみながらトイレトレーニングを行うことができる。
【００２１】
かかるトイレトレーニング用プログラムであって、所定時間が経過するまでにおける前記褒め表示処理の実行回数に対する前記増加処理の実行回数は、前記所定時間が経過した後における前記褒め表示処理の実行回数に対する前記増加処理の実行回数より多いことが好ましい。
【００２２】
このようなトイレトレーニング用プログラムによれば、所定時間を経過するまでは、トイレトレーニングに慣れやすくさせて、トイレトレーニングを楽しく継続させるために新しい図柄を増やす機会を多くし、所定時間を経過してトイレトレーニングに慣れた頃に新しい図柄を増やす機会を減らすことで、トイレトレーニングを継続させやすくすることができる。
【００２３】
かかるトイレトレーニング用プログラムであって、前記所定時間が経過した後で、所定期間に対する前記褒め表示処理の実行回数が、所定の回数よりも少ない場合には、前記所定期間における前記褒め表示処理の実行回数に対する前記増加処理の実行回数よりも、前記増加処理の実行回数を増加させることが望ましい。
【００２４】
このようなトイレトレーニング用プログラムによれば、コンピューターの操作者及び乳幼児が、トイレトレーニングに飽きて、トイレトレーニングを行う回数が減ってきたころに、新しい図柄をより多く表示させることで、トイレトレーニングに飽きにくくさせることができる。
【００２５】
かかるトイレトレーニング用プログラムであって、前記乳幼児の性別及び年齢の少なくとも１つの個人情報の入力を受け付ける個人情報入力受付処理を実行させ、前記選択用図柄は、前記記憶図柄の中から前記個人情報に対応して選択された図柄であることが望ましい。
【００２６】
このようなトイレトレーニング用プログラムによれば、男の子用や女の子用、乳幼児の年齢に応じた図柄を表示することで、乳幼児及び操作者のトイレトレーニングの意欲をより向上させることができる。
【００２７】
かかるトイレトレーニング用プログラムであって、前記撮影部によってプログラム起動識別子が撮影されると前記プログラムを起動させ、前記選択用図柄は、前記記憶図柄の中から前記プログラム起動識別子に対応して選択された図柄であることが望ましい。
【００２８】
このようなトイレトレーニング用プログラムによれば、乳幼児の好みに応じたプログラム起動識別子を用いて、乳幼児の好みに対応した図柄を選択可能に表示することで、乳幼児及び操作者のトイレトレーニングの意欲をより向上させることができる。
【００２９】
かかるトイレトレーニング用プログラムであって、前記プログラム起動識別子は、トイレトレーニング用台紙に設けられており、前記トイレトレーニング用台紙は、前記コンピューターの操作者又は前記乳幼児が、前記乳幼児がトイレトレーニングを行った際に完了サインを付与するための台紙であることが望ましい。
【００３０】
このようなトイレトレーニング用プログラムによれば、トイレトレーニング用台紙にプログラム起動識別子を設けることで、乳幼児及び操作者は、トイレトレーニングの経過を確認しやすくなり、乳幼児及び操作者にトイレトレーニングを継続させやすくすることができる。
【００３１】
かかるトイレトレーニング用プログラムであって、前記褒め表示処理の後に、異なるスキンシップの方法に対応付けられた複数の選択肢を表示させ、前記複数の選択肢は、前記スキンシップの方法が隠された状態であり、前記コンピューターの操作者又は前記乳幼児によって、前記複数の選択肢のうちの１つの選択肢が選択されると、選択された前記選択肢に対応付けられた前記スキンシップの方法を表示させることが望ましい。
【００３２】
このようなトイレトレーニング用プログラムによれば、操作者と乳幼児との接触によって、コミュニケーションを図ることができ、また、このスキンシップの方法を複数の選択肢から選択することで、乳幼児や操作者は楽しみながらトイレトレーニングを行うことができる。
【００３３】
かかるトイレトレーニング用プログラムであって、前記褒め表示処理の後に、前記複数の選択肢の少なくとも１に替えて前記選択用図柄とは異なる新しい図柄が隠された状態の新選択肢を表示させ、前記操作者又は前記乳幼児によって前記新選択肢が選択されると、前記新しい図柄を表示させ、前記新しい図柄を記憶させて、前記記憶図柄の数を増加させる増加処理を実行させることが望ましい。
【００３４】
このようなトイレトレーニング用プログラムによれば、褒め表示処理後に、新しい図柄を得ることで、乳幼児及び操作者は次回のトイレトレーニングへの意欲を向上させることができる。
【００３５】
かかるトイレトレーニング用プログラムであって、前記乳幼児のトイレトレーニングのときの様子についての入力を受け付ける入力受付処理を実行させ、前記増加処理を、前記入力受付処理の実行回数に応じて実行させることが望ましい。
【００３６】
このようなトイレトレーニング用プログラムによれば、入力受付処理の実行回数に応じて、コンピューターの操作者及び乳幼児は新しい図柄を見ることができるため、トイレトレーニングを行う意欲を向上させ、トイレトレーニングに飽きてしまう恐れを軽減させることができる。
【００３７】
かかるトイレトレーニング用プログラムであって、前記乳幼児のトイレトレーニングの達成度合いの入力を受け付ける処理を実行させ、受け付けた前記達成度合いに応じて、前記新選択肢を表示させる処理を実行させることが望ましい。
【００３８】
このようなトイレトレーニング用プログラムによれば、乳幼児のトイレトレーニングの結果が良いほど乳幼児は新しい図柄を見ることができるため、乳幼児は新しい図柄が増えることに喜びを感じ、より多くの図柄を増やしたいという欲求を増加させ、トイレトレーニングに対する意欲を向上させることができる。
【００３９】
１回のトイレトレーニング中において、請求項６に記載の前記表示部に自動的に表示させることと、請求項１３に記載の前記新選択肢を表示させることの両方が実行されることを禁止する禁止処理を実行させることが望ましい。
【００４０】
このようなトイレトレーニング用プログラムによれば、１回のトイレトレーニングで複数回新しい図柄を表示させるよりも、トイレトレーニングの回数を増加させることができる。
【００４１】
かかるトイレトレーニング用プログラムであって、前記取得処理の前に、前記乳幼児をトイレに誘導するための誘導表示を前記表示部に表示させる誘導表示処理を実行させ、前記誘導表示は、前記乳幼児にトイレを想起させるための画像又は動画であることが望ましい。
【００４２】
このようなトイレトレーニング用プログラムによれば、乳幼児に誘導表示を見せてトイレを想起させることで、トイレトレーニングを意識させやすくすることができる。
【００４３】
かかるトイレトレーニング用プログラムであって、前記誘導表示は、前記乳幼児が使用する吸収性物品に関連付けられたキャラクターがトイレに行く姿を示した画像又は動画であることが望ましい。
【００４４】
このようなトイレトレーニング用プログラムによれば、乳幼児はキャラクターを見ると、吸収性物品を想起することができるため、トイレと関連づけられて、トイレトレーニングを意識させやすくなり、乳幼児はキャラクターの行動を真似することで、トイレトレーニングを行うことができるため、トイレトレーニングへの抵抗感を軽減することができる。
【００４５】
コンピューターが、トイレに行った乳幼児が前記コンピューターに備えられた撮影部によって撮影された撮影画像を取得する取得ステップと、前記乳幼児を褒めるための所定の図柄と前記撮影画像を含んだ、前記乳幼児を褒めるための褒め表示を、前記コンピューターに備えられた表示部に表示させる褒め表示ステップと、を有することを特徴とするトイレトレーニング方法である。
【００４６】
このようなトイレトレーニング方法によれば、トイレトレーニングをした乳幼児は、所定の図柄で装飾された乳幼児の姿を褒め表示画面を通じて見ることができるため、褒められていることを実感することができ、達成感を感じやすくなるため、トイレトレーニングをより促し、乳幼児及び操作者がトイレトレーニングを継続させる意欲を向上させやすくなる。
【００４７】
トイレに行った乳幼児がコンピューターシステムに備えられた撮影部によって撮影された撮影画像を取得する取得処理部と、前記乳幼児を褒めるための所定の図柄と前記撮影画像を含んだ、前記乳幼児を褒めるための褒め表示を、前記コンピューターシステムに備えられた表示部に表示させる褒め表示処理部と、を有することを特徴とするトイレトレーニング用コンピューターシステムである。
【００４８】
このようなトイレトレーニング用コンピューターシステムによれば、トイレトレーニングをした乳幼児は、所定の図柄で装飾された乳幼児の姿を褒め表示画面を通じて見ることができるため、褒められていることを実感することができ、達成感を感じやすくなるため、トイレトレーニングをより促し、乳幼児及び操作者がトイレトレーニングを継続させる意欲を向上させやすくなる。
【００４９】
＝＝＝本実施形態＝＝＝
＜端末１＞
端末（コンピューター）１は、各種の処理を行い、その結果を画面１４に表示させる。端末１は、例えばスマートフォンやタブレット端末である。端末１は、ダウンロードしたプログラムを実行することで、トイレトレーニングに関する各種処理（後述）を実行する。
【００５０】
図１は、端末１の機能上の構成を示すブロック図である。本実施形態の端末１は、制御部１１、記憶部１２、入力部１３、画面（表示部）１４、通信部１５、及びカメラ（撮影部）１６を有している。
【００５１】
制御部１１は、各部間のデータの受け渡しを行うとともに、端末全体の制御を行うものであり、ＣＰＵ（Ｃｅｎｔｒａｌ  Ｐｒｏｃｅｓｓｉｎｇ  Ｕｎｉｔ）が所定のメモリに格納されたプログラムを実行することによって実現される。
【００５２】
制御部１１は、個人情報入力受付処理部１１１、取得処理部１１２、増加処理部１１３、褒め表示処理部１１４、表示処理部１１５、入力受付処理部１１６を有している。
【００５３】
個人情報入力受付処理部１１１は、乳幼児の個人情報の入力を受け付ける処理を行う。取得処理部１１２は、カメラ１６を用いて撮影された撮影画像を取得する処理を行う。増加処理部１１３は、記憶部１２の記憶図柄の数を増加させる処理を行う。褒め表示処理部１１４は、乳幼児を褒めるための褒め表示７３を画面１４に表示させる処理を行う。表示処理部１１５は、選択用図柄７１を画面１４に表示させる処理を行う。入力受付処理部１１６は、乳幼児のトイレトレーニングのときの様子についての入力を受け付ける処理を行う。
【００５４】
記憶部１２は、褒め表示に用いる記憶図柄が複数格納されている。入力部１３は、端末１の操作者が入力するものであり、タッチパネルのタップ操作により実現される。画面１４は、制御部１１からの指令に基づいて各種の情報を表示する表示部である。通信部１５は、プログラムや画像データを受信する受信部としての機能を有している。カメラ１６は、撮影によって画像データを取得する撮影部である。
【００５５】
＜トイレトレーニング方法＞
以下、図面を参照しつつ、トイレトレーニング方法の流れを説明する。本実施形態のトイレトレーニング方法は、端末１のトイレトレーニング用プログラム（以下、「プログラム」ともいう。）を用いて行う。当該プログラムは、初期設定、モード選択、トイレトレーニング、及び記録を行うことができる。なお、乳幼児は、トイレトレーニングを行う者であり（以下、「乳幼児」という。）、端末１の操作者（以下、「操作者」ともいう。）は、乳幼児の保護者等である。
【００５６】
＜＜初期設定＞＞
プログラムを端末１で初めて起動させると、個人情報入力受付処理部１１１は、個人情報入力表示２０を画面１４に表示させて、乳幼児に関する個人情報の入力を受け付ける。図２は、本実施形態の初期設定の流れを説明する図である。図７は、個人情報入力表示２０を説明する図である。
【００５７】
図２に示すように、初めてプログラムを起動させた状態において（Ｓ１：最初のプログラム起動ステップ）、Ｉ、Ｐ、Ｑ、Ｒの各変数（後述）は０（「Ｉ、Ｐ、Ｑ、Ｒ＝０」）である（Ｓ２）。そして、トイレトレーニングを行う乳幼児に関する個人情報の入力を受け付ける（Ｓ３：個人情報入力受付ステップ）。具体的には、図７に示すように、個人情報入力表示２０の名前欄２１に乳幼児の名前、生年月日欄２２に乳幼児の生まれた日、男女欄２３に男女の別の入力を受け付ける。なお、この個人情報入力表示２０は、男女の別だけを入力させるものでもよいし、生年月日でなく、現在の年齢を入力させるものであってもよい。入力が終わり、「ＯＫ」のアイコン２４をタップすると、制御部１１は、画面１４にメニュー表示３０を表示させる（Ｓ４）。
【００５８】
＜＜モード選択＞＞
図３は、本実施形態のモード選択の流れについて説明する図である。図８は、メニュー表示３０を説明する図である。プログラムを端末１で初めて起動させた場合には、個人情報入力受付ステップＳ３の後にメニュー表示３０を表示させるが、２回目以降にプログラムを起動させた場合には（Ｓ１０：プログラム起動ステップ）、図３に示すように、制御部１１は、まず、トップ画面であるメニュー表示３０を画面１４に表示させる（Ｓ１１：メニュー表示ステップ）。
【００５９】
メニュー表示３０は、メニュー表示３０には、キャラクター３１と、「せってい」と表示された設定３２、「アラーム」と表示されたアラーム３３、「きろくする」と表示された記録３４、「カメラ」と表示されたカメラ３５の各アイコンが設けられている。キャラクター３１は、画面１４の略中央に、各アイコン３２〜３５は、画面１４の下部に設けられている。操作者によっていずれかのアイコンがタップされると、モードが選択されて（Ｓ１２：モード選択ステップ）、各モードに切り替わる。
【００６０】
キャラクター３１は、乳幼児が使用する使い捨ておむつに関連付けられたキャラクターである。キャラクター３１は可愛い印象を与えるだけでなく、端末１の操作者やトイレトレーニングを行う乳幼児にトイレを意識させやすくすることができ、トイレトレーニングを一緒に頑張ろうと励ますものでもある。
【００６１】
設定３２のアイコンがタップされると（Ｓ１３）、制御部１１は個人情報入力表示２０を画面１４に表示させる設定モードに切り替える（Ａ）。設定モードでは、個人情報入力受付処理部１１１が乳幼児に関する個人情報の変更を受け付ける。
【００６２】
アラーム３３のアイコンがタップされると（Ｓ１４）、制御部１１は、アラーム設定画面（図示せず）を画面１４に表示させるアラーム設定モードに切り替える（Ｂ）。アラーム設定画面でアラームを設定することによって、所定時間にプログラムを起動させることができる。このアラームの設定方法は周知の方法が用いられ、例えば、１５時（１時間後）に自動的にプログラムを起動させ、プログラムの起動と同時に通知音を発生させて、操作者及び乳幼児にトイレトレーニングを行うタイミングであることを知らせることができる。
【００６３】
記録３４のアイコンがタップされると（Ｓ１５）、制御部１１は、乳幼児のトイレトレーニングのときの様子を記録する表示５０を画面１４に表示させる記録モードに切り替える（Ｃ）。記録モード（Ｃ）及び入力画面１２０については、後述する。
【００６４】
カメラ３５のアイコンがタップされると（Ｓ１６）、制御部１１は撮影用画面６０を画面１４に表示させる撮影モードに切り替える（Ｄ）。
【００６５】
＜＜トイレトレーニング＞＞
続いて、撮影モード（Ｄ）に切り替えた場合のトイレトレーニングの流れについて説明する。図４及び図５は、本実施形態のトイレトレーニングの流れを説明する図である。図９は、撮影用画面６０を説明する図である。
【００６６】
制御部１１によって画面１４に表示された撮影用画面６０は（Ｓ６０：撮影用画面の表示ステップ）、カメラのレンズを通して画面１４に表示された撮影待機画像６１である。また、撮影用画面６０の下部で左右方向の中央部には、「さつえい」と示されたシャッターボタン６３、シャッターボタン６３より左側には「終了」と示された終了ボタン６４が表示されている。シャッターボタン６３は、操作者のタップによって、カメラ１６が撮影画像を取得するボタンである。終了ボタン６４は、操作者のタップによって、メニュー表示３０を画面１４に表示させるボタンである。図９に示す撮影用画面６０は、現実に見ることができる大人用（通常のトイレ）の上に載置された乳幼児用トイレ（以下、「トイレ」ともいう。）６１ａを、カメラを用いて画面１４に映し出している。
【００６７】
乳幼児がトイレに行き、トイレトレーニングに「成功」した場合に、操作者が画面１４の下部のシャッターボタン６３をタップすると、取得処理部１１２が、トイレトレーニングに成功した乳幼児の撮影画像を取得する（Ｓ６１：撮影画像取得）。図１０は、撮影後画面６５を説明する図である。撮影画像は、操作者がカメラ１６のシャッターボタン６３を押したことによって得られた写真の画像であり、トイレに座っている乳幼児の撮影画像である。このとき画面１４に表示させた撮影後画面６５は、撮影画像に、予め記憶部１２に格納された王冠画像６２ａと複数の星柄画像６２ｂを合成させた画面となっている。
【００６８】
「トイレトレーニングの成功」とは、乳幼児がトイレで排泄をすることができた場合に限られず、乳幼児の成長に応じて、操作者がその裁量で適宜変更することができる。例えば、トイレトレーニングを始めたばかりの乳幼児は、トイレに行ったことを「成功」といい、トイレトレーニングを嫌がる乳幼児は、トイレに行って便座に座ったことを「成功した」といい、トイレに行くことに慣れたが、まだトイレで排泄することができない乳幼児は、トイレで排泄することができたことを「成功」ということができる。なお、本実施形態において、トイレの便座に座ることができた状態を「トイレに行った」状態ともいう。
【００６９】
続いて、褒め表示処理部１１４が、クリアボタン６６及び選択用図柄ボタン６７を撮影後画面６５に重ねて表示させ、保存ボタン６８及びキャンセルボタン６９を画面１４の下部に表示させる（Ｓ６２：選択用図柄ボタン、及び保存ボタンの表示ステップ）。図１０において、クリアボタン６６は「クリア」と表示されたアイコンであり、選択用図柄ボタン６７は「フレーム＆スタンプ」と表示されたアイコンであり、保存ボタン６８は「ほぞん」と表示されたアイコンであり、キャンセルボタン６９は「キャンセル」と表示されたアイコンである。
【００７０】
操作者がクリアボタン６６をタップすると、撮影後画面６５に表示された装飾図柄６２が消去され、撮影後画面６５は、撮影画像のみとなる。操作者が保存ボタン６８をタップすると、撮影後画面６５を褒め表示画像として記憶部１２に保存する（Ｓ６４１）。
【００７１】
操作者が選択用図柄ボタン６７をタップすると（Ｓ６３１のＹＥＳ）、表示処理部１１５は、図１１に示すように選択用図柄の一覧７０を表示する（Ｓ６３２：選択用図柄の表示ステップ）。図１１は、選択用図柄７１について説明する図である。図１１に示すように、撮影後画面６５（画面１４）の中央部に選択用図柄の一覧７０が重ねて表示され、画面１４の左側下部にキャンセルボタン６９が表示される。
【００７２】
選択用図柄の一覧７０には、複数の選択用図柄７１が表示されており、各選択用図柄７１は、記憶部１２内に予め格納された図柄の一部である。図１１に示す選択用図柄の一覧７０には、選択用図柄７１として、「たいへんよくできました！」等の画像７１ａが５つ、カメの画像７１ｂ、ケーキの画像７１ｃ、飴の画像７１ｄ、飛行機の画像７１ｅ、ロボットの画像７１ｆが表示されている。操作者が１つの選択用図柄７１、例えばロボットの画像７１ｆをタップして選択し、画面１４内の選択用図柄の一覧７０より外側の領域をタップすると、褒め表示処理部１１４は、撮影後画像６５にロボットの画像７１ｆを重ねて表示させる（Ｓ６３３：選択された図柄を撮影された写真に重畳表示ステップ）。
【００７３】
このＳ６２〜Ｓ６３３を繰り返し所定回数実行することで、所定個数の選択用図柄７１を撮影後画像６５に重ねて表示させることができ、選択用図柄７１を画面１４に表示させた褒め表示７３を作成することができる。図１２は、褒め表示７３について説明する図である。図１２に示す褒め表示７３は、装飾図柄６２が表示された状態の撮影後画像６５にロボットの画像７１ｆ、飛行機の画像７１ｅ、「たいへんよくできました！」の画像７１ａを１つずつ重ねて表示している。選択用図柄の一覧７０は、画面１４の下部に表示して、撮影画像の中央部を操作者が視認できる状態としている。これによって、操作者及び乳幼児は、撮影画像の乳幼児の顔を確認しながら選択用図柄７１を選択することができる。
【００７４】
「褒め表示」とは、乳幼児及び操作者を褒めるための表示であり、褒め表示７３は、乳幼児を褒めるための選択図柄７１及び装飾図柄６２と、撮影画像を含んだ表示である。乳幼児はトイレトレーニングに成功した自分の姿が写された撮影画像が選択用図柄７１や装飾図柄６２等で飾られた褒め表示７３を見ることで、褒められている自分の姿を客観的に見ることができ褒められていることを実感させやすくなる。また、自分の成功を認識しやすくさせることができる。これによって、乳幼児の今後のトイレトレーニングの励みにすることができ、継続が不可欠なトイレトレーニングを続けて頑張る意欲を向上させやすくできる。さらに、操作者にとっても褒め画面を作成する楽しみを感じることができる。操作者は、好みに応じて選択用図柄７１で撮影画像を装飾することができるため、選択用図柄７１を選ぶ楽しみ、褒め表示を作成する楽しみを感じることができる。
【００７５】
褒め表示７３に表示させることができる選択用図柄７１は、選択用図柄の一覧７０から選択可能である。また、表示させる選択用図柄７１の数も任意で変更することができる。これによって、乳幼児及び操作者は、褒め表示７３の作成を楽しんで行うことができる。また、褒め表示７３を楽しいものにすることで、乳幼児がトイレトレーニングに飽きてしまう恐れを軽減させることができる。
【００７６】
また、選択用図柄７１として、日時を表す印の画像を表示させてもよいし、予め記憶部１２に保存しておいた『頑張ったね』『やったね』などの乳幼児に対する言葉を表示させてもよい。さらに、褒め表示７３の表示の際に、装飾図柄６２や選択用図柄７１を点滅させたり、動かしたりしてもよいし、端末１のスピーカー（図示せず）から効果音を発生させてもよい。
【００７７】
なお、本実施形態では、図１１に示すように、選択用図柄の一覧７０の上部に「スタンプ」と「フレーム」のタグがあり、「スタンプ」から選択用図柄７１を選択して褒め表示７３を作成する例を説明したが、これに限られない。「フレーム」のタグを選択して、撮影画像の縁部を装飾する図柄の選択用図柄（図示せず）を用いて褒め表示７３を作成してもよい。もちろん、スタンプの選択用図柄７１とフレームの選択用図柄を併用して表示させてもよい。
【００７８】
また、選択用図柄の一覧７０には、記憶図柄１２の中から性別や年齢等の個人情報に対応して選択された図柄を選択用図柄７１として表示させてもよい。例えば、個人情報入力表示２０において男であることを選択すると、選択用図柄の一覧７０には、男の子が好む傾向がある、乗り物の画像、ロボットの画像、動物の画像等が選択用画像７１として表示される。このように対象とする乳幼児の性別や年齢等に応じて選択することができる図柄を変更することで、乳幼児にとってより楽しい、嬉しいと感じる褒め表示７３を作成することができる。
【００７９】
さらに、褒め表示７３に表示させる図柄は、選択用図柄７１だけであってもよく、装飾図柄６２だけであってもよい。また、選択用図柄７１を選択用図柄の一覧７０に表示した図柄から選択できるものとしたがこれに限られない。記憶部１２に格納された全図柄から選択可能としてもよいし、褒め表示処理部１１４が記憶部１２から無作為に抽出した図柄を選択用図柄７１として表示させてもよい。
【００８０】
褒め表示７３の作成（選択用図柄７１の選択）を終えると、操作者が保存ボタン６５をタップすると（Ｓ６４１）、褒め表示７３を褒め表示画像として記憶部１２に保存する。今後、乳幼児及び操作者が保存された褒め表示画像を見て、トイレトレーニングを振り返り、「あのときは上手にできたね。また頑張ってみよう」等の次回のトイレトレーニングの契機にできる。また、後述の「記録」を作成する際の褒め表示画像１０１ｔにもなる。
【００８１】
褒め表示画像の保存に続いて、Ｉ＝Ｔｉであるか否かを判定する（Ｓ６４２）。Ｉは、連続してトイレに座ることができたという事象が増える毎に増加する自然数である。Ｉ＝Ｔｉである場合、例えば、Ｔｉ＝２としたときには、Ｉ＝２の場合に後述のＱ＝Ｔｑであるか否かを判定するステップ（Ｓ６６３）へ進む。Ｉ≠Ｔｉの場合は、Ｐ＝Ｔｐであるか否かの判定をする（Ｓ６４３）。Ｐは、乳幼児が連続してトイレに座った回数をカウントした変数である。Ｐの増加については後述する。Ｐ＝Ｔｐである場合、例えば、Ｔｐを５とした場合、Ｐ＝５の場合には、新選択肢の表示ステップ（Ｓ６４４）に進む。新選択肢の表示ステップ（Ｓ６４４）については後述する。Ｐ≠Ｔｐである場合には、褒め表示処理部１１４は、複数の選択肢を表示させた選択肢表示画面８０を画面１４に表示させる（Ｓ６５４：選択肢の表示ステップ）。
【００８２】
図１３は、選択肢表示画面８０を説明する図である。選択肢の表示ステップ（Ｓ６５４）では、選択肢であるカード８１ａ、８１ｂ、８１ｃが左から順に横一列に並べられた状態で表示されている。カード８１ａ、８１ｂ、８１ｃは、それぞれ異なるスキンシップの方法に対応付けられており、スキンシップの方法が隠された状態で表示されている。例えば、カード８１ａには、スキンシップ方法の『ぎゅーっとタイム』、カード８１ｂには、スキンシップ方法の『ほっぺにちゅ！』、カード８１ｃには、スキンシップ方法の『はいタッチー！』がそれぞれ対応付けられている。各スキンシップ方法は、予め記憶部１２に格納されている。
【００８３】
操作者又は乳幼児が、１つのカード８１を選択すると、褒め表示処理部１１４は、選択されたカード８１に対応付けられたスキンシップ方法を表示する（Ｓ６５５：スキンシップ方法の表示ステップ）。図１４は、スキンシップ方法の表示画面８２を説明する図である。スキンシップ方法の表示画面８２は、選択されたカードに対応付けられた１つのスキンシップ方法のみが表示され、他の２つのカードに対応付けられたスキンシップ方法は表示されない。
【００８４】
具体的には、図１４に示すように、操作者又は乳幼児が、選択肢表示画面８０のカード８１ａをタップすると、スキンシップ方法の表示画面８２を画面１４に表示し、カード８１ａに対応付けられたスキンシップ方法の『ぎゅーっとタイム』を表示する。スキンシップ方法の表示画面８２には、画面１４の上部にスキンシップ方法を示した文字８３ａ、画面１４の中央部にスキンシップ方法を表した画像８３ｂ、画像８３ｂより下側に操作者に対するメッセージ８３ｃが表示されている。また、画面１４の下部には、ＴＯＰボタン８４と記録ボタン８５（後述）も表示されている。
【００８５】
スキンシップ方法の表示画面８２を見た操作者が、表示されたスキンシップ方法に従い乳幼児をぎゅーっと抱きしめることで、操作者と乳幼児とのスキンシップを図ることができる。スキンシップを図ることは、操作者にとっても乳幼児にとっても心地よいと感じることであり、喜びを実感できる行為である。スキンシップによって、乳幼児は操作者との親密さを感じられ、両者の関係を良好にし、トイレトレーニングを共に頑張っていく上での連帯感を一緒に感じることができる。乳幼児及び操作者は、スキンシップによってお互いに褒められていることを感じることができ、トイレトレーニングを一緒に継続していく意欲を向上させることができる。また、カードを選択することで、操作者と乳幼児は、カードゲームのように楽しみつつ、スキンシップを図ることができるため、一連のトイレトレーニングが楽しいものであるという印象を感じやすくなる。
【００８６】
なお、選択肢表示画面８０は３つのカードによる選択に限られない。選択肢は、４枚、５枚・・・等であってもよいし、カードだけでなく、あみだくじやルーレット等、適宜変更することができる。また、本実施形態においては、３つのスキンシップ方法を例示したが、記憶部１２に表示させる選択肢以上のスキンシップ方法を予め格納しておき、無作為に表示させる選択肢と対応づけてもよい。さらに、スキンシップ方法の表示は、文字や画像のみに限らず音声や効果音をスピーカー（図示せず）から発してもよい。
【００８７】
続いて、ＴＯＰボタン８４がタップされると（Ｓ６４９）、制御部１１は、画面１４にメニュー表示３０を表示する（Ｓ７００）。ＴＯＰボタン８４ではなく、記録ボタン８５がタップされると（Ｓ６６９）、制御部１１は記録モードに切り替える（Ｃ）。
【００８８】
また、Ｓ６４３において、Ｐ＝Ｔｐである場合、具体的には、Ｔｐ＝５としたときに、Ｐ＝５である場合には、褒め表示処理部１１４は複数の選択肢を表示させた新選択肢表示画面（図示せず）に新選択肢を表示させる（Ｓ６４４）。新選択肢表示画面は、選択肢表示画面８０と同様に、３枚のカードで、それぞれ異なる図柄に対応付けられた選択肢である。新選択肢表示画面も各図柄が隠された状態で表示される。新選択肢表示画面における各カードには、例えば、車の図柄、パンダの図柄、ホットケーキの図柄がそれぞれ対応付けられている。
【００８９】
操作者又は乳幼児が、新選択肢表示画面のうち１つのカードを選択すると、褒め表示処理部１１４は、選択されたカードに対応付けられた新しい図柄を表示する（Ｓ６４５：新図柄の表示ステップ）。図１５は、新図柄の表示画面８６を説明する図である。新図柄表示画面８６には、選択されたカードに対応付けられた１つの新しい図柄のみが表示され、他の２つのカードに対応付けられた新しい図柄は表示されない。具体的には、図１５に示すように、新図柄の表示画面８６には、新図柄である車の画像８７を持った状態のキャラクターの画像８８が画面１４の中央部に表示される。また、画面１４の下部には、メニュー表示３０に戻るためのＴＯＰボタン８４とトイレトレーニングの様子について記録をするモードに移動するための記録ボタン８５（後述）も表示されている。
【００９０】
新図柄の表示画面８７が表示されると、増加処理部１１３は、記憶部１２に新しい図柄である車の画像８７を保存し、記憶部１２内の図柄を増加させる（Ｓ６４６：図柄増加ステップ）。
【００９１】
Ｓ６４４〜Ｓ６４６は、乳幼児が連続してトイレに座った回数に応じて実行される。例えば、Ｔｐ＝５とした場合、乳幼児が６回連続して座った場合（Ｐ＝５）に実行されるステップである。これによって、乳幼児はトイレトレーニングの成功に応じて新図柄の表示ステップ（Ｓ６４５）における新しいものを獲得する達成感を得ることができ、褒め表示７３で装飾される図柄のバリエーションが増えるため、トイレトレーニングに飽きてしまう恐れを軽減させ、トイレトレーニングを行う意欲を向上させやすくなる。また、記憶部１２に格納された図柄が増加するため、褒め表示７３の作成の際の選択可能な図柄が増加するため、操作者は、褒め表示７３を作成する楽しみを増加させることができる。
【００９２】
続いて、Ｐをリセットして０とし（Ｓ６４７：Ｐ＝０）、ＩをＩ＋１とする（Ｓ６４８：Ｉ＝Ｉ＋１）。つまり、Ｓ６４６の図柄増加ステップが実行されると、Ｉが増加する。そして、ＴＯＰボタン８４がタップされると（Ｓ６４９）、制御部１１は、画面１４にメニュー表示３０を表示する（Ｓ７００）。ＴＯＰボタン８４ではなく、記録ボタン８５がタップされると（Ｓ６６９）、制御部１１は、制御部１１は記録モードに切り替える（Ｃ）。
【００９３】
また、Ｓ６４２において、ＩがＴｉの場合（Ｉ＝Ｔｉ）、具体的には、Ｔｉ＝２としたときにＩ＝２の場合には、ＱがＴｑであるか否かを判定する（Ｓ６６３）。Ｑは、乳幼児がトイレで排泄することができた回数をカウントした変数である。Ｑの増加については後述する。
【００９４】
ＱがＴｑである場合（Ｑ＝Ｔｑ）、具体的には、Ｔｑ＝５で、Ｑ＝５である場合には、褒め表示処理部１１４は、画面１４に新選択肢を表示させ（Ｓ６６４：新選択肢の表示ステップ）、操作者又は乳幼児が選択肢の１つのカードを選択すると、新図柄を表示し（Ｓ６６５：新図柄の表示ステップ）、増加処理部１１３は、新図柄を記憶部１２に保存する（Ｓ６６６：図柄増加ステップ）。Ｓ６６４の新選択肢の表示ステップ、Ｓ６６５の新図柄の表示ステップ、Ｓ６６６の図柄増加ステップは、前述のＳ６４４の新選択肢の表示ステップ、Ｓ６４５の新図柄の表示ステップ、Ｓ６４６の図柄増加ステップと同様である。
【００９５】
図柄増加ステップ（Ｓ６６６）の後、Ｑを０とする（Ｑ＝０、Ｓ６６７）。そして、ＴＯＰボタン８４がタップされると（Ｓ６４９）、制御部１１は、画面１４にメニュー表示３０を表示する（Ｓ７００）。ＴＯＰボタン８４ではなく、記録ボタン８５がタップされると（Ｓ６６９）、制御部１１は、画面１４に表示させる記録モードに切り替える（Ｃ）。
【００９６】
Ｓ６６４〜Ｓ６６６は、乳幼児が所定回数だけ連続してトイレに座ることができ、且つ、乳幼児がトイレで排泄することができた回数に応じて実行される。例えば、Ｔｉ＝２、Ｔｐ＝５とした場合、トイレに６回連続して座ることができたという事象が２回起こると、Ｓ６４２においてＩ＝２となる。乳幼児がトイレで排泄することができた回数に応じて新選択肢の表示（Ｓ６６４）を行う。つまり、トイレトレーニングに慣れていない段階の乳幼児の場合には、トイレに座ることができたという状態がトイレトレーニングの成功となるが、トイレトレーニングに慣れてきた乳幼児は、トイレに座ることは簡単に行うことができるため、トイレで排泄をすることができた場合にトイレトレーニングの成功とすることが望ましい。そのため、トイレに所定回数連続して座ることができた乳幼児の場合には、トイレで所定回数排泄することができたことを褒めてあげることにして、乳幼児のトイレトレーニングの意欲を向上させやすくしている。また、乳幼児は、トイレトレーニングに成功するほど新しい図柄を見ることができるため、トイレトレーニングに飽きてしまう恐れをより軽減させることができる。
【００９７】
＜＜記録＞＞
次に、記録モード（Ｃ）に切り替えた場合の記録の流れについて説明する。図６は、本実施形態の記録の流れについて説明する図である。図１６は、記録リスト１００を説明する図である。まず、制御部１１は、画面１４に記録リスト１００を表示する（Ｓ５０：記録リストの表示ステップ）。記録リスト１００には、複数のトイレの記録１０１ａ、１０１ｂと、カレンダーボタン１０２、戻るボタン１０３、記録するボタン１０４、卒業ボタン１０５が設けられている。
【００９８】
トイレの記録１０１ａ、１０１ｂには、記録した結果を表すアイコン１０１ｐ、１０１ｑ、１０１ｒ、１０１ｓと、褒め表示画像１０１ｔ、コメント欄１０１ｕが表示されている。記録した結果を表すアイコンのうち、アイコン１０１ｐはトイレに行くことができた（トイレに座ることができた）ことを表しており、アイコン１０１ｑは、オムツやパンツに排泄したこと又はオムツを交換したことを表しており、アイコン１０１ｒは、うんちをしたことを表しており、アイコン１０１ｓは、トイレで排泄をすることができたことを表している。図１６において、トイレの記録１０１ａは、アイコン１０１ｐと１０１ｒを表示していることから、トイレに行くことができて、トイレで排泄をすることはできなかったが、うんちをしたということを示している。トイレの記録１０１ｂは、アイコン１０１ｐ、１０１ｑ、１０１ｒ、１０１ｓを表示していることから、トイレに行くことができ、オムツを交換し、トイレにうんちをすることができたことを示している。このように記録リスト１００を見ることで、操作者や乳幼児はトイレトレーニングの経過を確認することができる。
【００９９】
記録リスト１００に表示されたカレンダーボタン１０２は「カレンダー画面へ進む」ボタン、記録するボタン１０４は「入力画面へ進む」ボタン、卒業ボタン１０５は「トイレトレーニングを卒業し、トイレトレーニングプログラムを終了する」ボタン、画面を切り替えるボタン、戻るボタン１０３はメニュー表示３０を表示させるボタンである。
【０１００】
操作者によってカレンダーボタン１０２がタップされると、制御部１１は、画面を切り替えて（Ｓ５１）、カレンダー表示１１０を表示する（Ｓ５２１）。図１７は、カレンダー表示１１０を説明する図である。カレンダー表示１１０は、１か月のトイレトレーニング結果の概略を確認することができる。例えば、図１７に示すように、２０１６年９月１５日と１９日は花丸が記されている。これはトイレトレーニングに成功した回数が特に多かった日である。また、１４日、１７日、１８日には丸が記されており、この日はトイレトレーニングに１回でも成功した日を示している。この花丸や○を記載するトイレトレーニングの成功頻度は、適宜変更することができる。操作者によってカレンダー表示１１０内の所定の日付をタップされると（Ｓ５２２：日付選択ステップ）、制御部１１は入力画面１２０を表示する。
【０１０１】
操作者によって記録するボタン１０４がタップされると、制御部１１は画面を切り替えて（Ｓ５１）、入力画面１２０を表示する。図１８は、入力画面１２０を説明する図である。入力画面１２０は、乳幼児のトイレトレーニングのときの様子について入力する画面である。図１８に示すように、入力画面１２０には、画面１４の上部中央にトイレトレーニングを行った日付を示す日付１２１、上部左側にリスト表示１００を表示させる戻るボタン１２２、上部右側に本日中のトイレトレーニングの回数を表示する回数表示１２３が設けられている。画面１４の下部に操作者が感想やメモを入力するメモ欄１２４と、入力画面１２０での登録が終了した際にタップする登録ボタン１２６が設けられている。また、画面１４の中央部には、トイレトレーニングの様子について各項目を入力するアイコン１２５が設けられている。
【０１０２】
アイコン１２５は、乳幼児のトイレトレーニングの達成度合いを入力するものであり、上から『いつした？』『声かけ』『トイレに行く』『トイレでした』『オムツやパンツに』『おしっこ』『うんち』の文字がそれぞれ左側に示され、これらに対応して入力又は選択するためのアイコン１２５が右側に設けられている。例えば、『いつした？』に対応してアイコン１２５ａには、時間を入力する。『声かけ』に対応したアイコン１２５ｂには、操作者が乳幼児に対してトイレトレーニングを促す声かけを行ったかどうかを操作者が選択してタップする。操作者が乳幼児に対して声かけを行った場合には、『した』が選択される。同様に、『トイレに行く』に対応したアイコン１２５ｃが設けられ、『トイレに行く』は、乳幼児がトイレに行くことができたか、トイレに座ることができたかどうかを操作者が選択してタップする。トイレに行った、トイレに座ることができた場合には、『行った』が選択される。『トイレでした』『オムツやパンツに』『おしっこ』『うんち』も同様にそれぞれ対応したアイコン１２５ｄ、１２５ｅ、１２５ｆ、１２５ｇが設けられている。『トイレでした』は、乳幼児がトイレで排泄することができたかどうか、『オムツやパンツに』は、乳幼児がトイレではなく、オムツやパンツに排泄してしまったかどうか、『おしっこ』『うんち』は、それぞれ排泄したものを操作者が選択してタップする。なお、コメント欄１２４への入力は任意である。
【０１０３】
操作者によって登録ボタン１２６がタップされると、入力画面１２０の入力が終了し、入力受付処理部１１６は入力された内容を受け付けて（Ｓ５２５：記録完了ステップがＹＥＳ）、連続してトイレに行ったかどうかの判定を行う（Ｓ５２６）。この連続してトイレに行ったかどうかの判定は、前回のトイレトレーニングの結果を参照して行い、具体的には、前回のトイレトレーニングにおいて入力画面１２０で『トイレに行く』に対応したアイコン１２５ｃで『行った』が選択され、今回も入力画面１２０のアイコン１２５ｃで『行った』が選択された場合には、Ｐ＝Ｐ＋１となる（Ｓ５２７）。Ｐは、乳幼児が連続してトイレに座った回数をカウントした変数であり、入力画面１２０でのアイコン１２５ｃへの入力結果に応じてＰが増加する。なお、連続してトイレに行っていないと判定された場合（Ｓ５２６がＮＯ）には、Ｐ＝０にして（Ｓ５３７）、後述のＲ＝Ｒ＋１とするＳ５３０に進む。
【０１０４】
Ｐ＝Ｐ＋１（Ｓ５２７）に続いて、トイレで排泄したかどうかの判定を行う（Ｓ５２８）。トイレで排泄をしたかどうかの判定は、入力画面１２０で『トイレでした』に対応したアイコン１２５ｄで『した』が選択された場合に、Ｑ＝Ｑ＋１として（Ｓ５２９）、Ｒ＝Ｒ＋１（Ｓ５３０）へ進む。Ｑは、乳幼児がトイレで排泄することができた回数をカウントした変数であり、入力画面１２０のアイコン１２５ｄへの入力結果に応じてＱが増加する。なお、トイレで排泄していないと判定された場合（Ｓ５２８がＮＯ）には、Ｑを増加させることなく、Ｒ＝Ｒ＋１（Ｓ５３０）へ進む。
【０１０５】
Ｒは、乳幼児のトイレトレーニングの様子について入力画面１２０に入力をした回数をカウントした変数であり、入力画面１２０における登録ボタン１２６を押す回数に応じて増加する。つまり、乳幼児がトイレトレーニングに成功し、褒め表示画像を取得した場合だけでなく、乳幼児がトイレに行くことを拒んだ場合においても、操作者はその様子を入力画面１２０に入力することでＲが増加する。
【０１０６】
Ｓ５３０の後、ＲがＴｒかどうかを判定する（Ｓ５３１）。ＲがＴｒでない場合は（Ｒ≠Ｔｒ）、記録リスト１００を画面１４に表示する。ＲがＴｒである場合は（Ｒ＝Ｔｒ）、ＲをリセットしてＲ＝０とし（Ｓ５３２）、増加処理部１１３は、記憶部１２に格納された図柄とは異なる新しい図柄を増加させる（Ｓ５３３：図柄増加ステップ）。例えば、Ｔｒ＝５とした場合、乳幼児のトイレトレーニングが成功しない場合であても、操作者がその乳幼児の様子を記録することでＲが増加し、Ｒ＝５とすることも可能である。操作者の記録回数に応じて新しい図柄を増加させるため、褒め表示７３に表示させることができる選択用図柄７１や装飾図柄６２が増え、操作者は褒め表示７３を装飾させる楽しみをより増すことができる。
【０１０７】
そして、図柄増加処理（Ｓ５３３）の後、記録モード（Ｃ）の最初の表示である記録リスト１００を画面１４に表示する。
【０１０８】
なお、乳幼児のトイレトレーニングの様子についての記録は、乳幼児のトイレトレーニングの前であっても後であってもよく、トイレトレーニングから一定時間経過したときであってもよい。
【０１０９】
また、操作者の記録回数に応じて図柄を増やしたが（Ｓ５２９〜Ｓ５３１）、新しい図柄が増えたことに操作者や乳幼児が気付かない恐れがある。そのため、撮影モード（Ｄ）から撮影用画面を表示させたときに（Ｓ６０）、図柄増加ステップ（Ｓ５３３）で増加した図柄を装飾図柄６２として自動的に画面１４に表示させることにしてもよい。これによって、操作者は、乳幼児のトイレトレーニングの様子を記録する意欲をより向上させることができる。
【０１１０】
さらに、１回のトイレトレーニングにおいて、記録回数に応じた図柄増加ステップ（Ｓ５３３）と、乳幼児のトイレトレーニングの達成度合いに応じた図柄増加ステップ（Ｓ６４６、Ｓ６６６）の両方が実行させない禁止処理を実行させてもよい。１回のトイレトレーニングで新しい図柄を複数回表示させて、新しい図柄が増加しないトイレトレーニングの場合が多い場合よりも、１回のトイレトレーニングで１個とし、トイレトレーニングの度に図柄が増加しやすい状態の方が、乳幼児や操作者にとってもトイレトレーニングに飽きてしまう恐れを軽減させ、継続させやすくなる。
【０１１１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【０１１２】
上述の実施形態においては、Ｔｐ及びＴｑを固定値として説明したが、これに限られない。乳幼児の成長やトイレトレーニングの段階に応じてそれぞれ変更することができる。例えば、乳幼児がトイレトレーニングを始めたばかりの場合は、Ｔｐ＝３、Ｔｑ＝２とすることで、４回連続してトイレに行くことができた場合に増加処理（Ｓ６４６）を行うため、トイレに行くことができたということを褒める機会を増やすことができる。一方、乳幼児がトイレトレーニングに慣れてきて、トイレに行くことはできるが、トイレで排泄することができない場合には、Ｔｐ＝７、Ｔｑ＝４とすることで、トイレで排泄することができたことをより多く褒めることができる。
【０１１３】
上述の実施形態においては、プログラム起動ステップ（Ｓ１０）において、操作者がプログラムを起動させることにしたが、これに限られない。端末１内に時計やタイマーを備えて、所定時間になると制御部１１が自動的にプログラムを起動させることにしてもよい。このようにすることで、操作者や乳幼児にトイレトレーニングを行う時間を知らせて、定期的にトイレトレーニングを促すことができる。
【０１１４】
さらに、制御部１１は、プログラムの起動と同時に誘導表示を画面１４に表示させてもよい（誘導表示処理ステップ）。図１９は、誘導表示２００の一例を示す図である。誘導表示２００は、乳幼児をトイレに誘導するための表示であり、トイレトレーニングを促すために、トイレを想起させるための静止画像、動画、又は静止画像と動画の組み合わせである。この誘導表示画像は、記憶部１２に格納されている。画像や動画はキャラクターに限られず、所定の図形、絵、写真や映像等を表示してもよいし、メッセージ等の文字表示や効果音や音声などを伴っていてもよい。図１９に示すように、乳幼児が使用している吸収性物品に関連したキャラクター２０１がトイレに行く様子を表しているため、トイレを意識した乳幼児が、誘導表示２００に示されたキャラクター２０１の行動を真似したくなるとトイレトレーニングへの意欲も向上する。例えば、図１９に示すようにあるキャラクター２０１が乳幼児を誘うような仕草をして、トイレに向かう様子の画像を用いることができる。これによって、乳幼児はトイレに行こうとする意識や意欲を持ちやすくなる。
【０１１５】
なお、キャラクター２０１は、乳幼児が好むキャラクターの画像であることが好ましく、より好ましくは、乳幼児が使用している、又は過去に使用していたおむつ等の吸収性物品に関連づけられたキャラクターがよい。このキャラクターは、乳幼児に吸収性物品を想起させやすくするものであり、トイレを連想させやすくすることができる。
【０１１６】
また、カメラ１６でプログラム起動識別子であるＡＲマーカーを読み取ることで、誘導表示２００を画面１４に表示させたり、プログラムを起動させたりしてもよい。例えば、所定のＡＲマーカーをカメラ１６で読み取ると、プログラムが起動し、選択用図柄の表示ステップ（Ｓ６３２）において、選択用図柄の一覧７０に表示させる選択用図柄７１を読み取ったＡＲマーカーに対応した図柄としてもよい。これによって、プログラムの起動を容易にするだけでなく、乳幼児の好みに応じた図柄を選択用図柄７１として表示させやすくなるため、乳幼児がより楽しみながらトイレトレーニングを行うことができる。
【０１１７】
さらに、ＡＲマーカーを、乳幼児がトイレトレーニングを行った際に完了サインを付与するための台紙に設けてもよい。例えば、操作者や乳幼児がシールを貼るためのシール台紙に設けることで、シールを貼って楽しむことができるだけでなく、ＡＲコードからプログラムにも関心を持ちやすくなるため、トイレトレーニングにより関心を持たせやすくなり、トイレトレーニングを継続させやすくすることができる。
【０１１８】
また、乳幼児のトイレトレーニングの成功の数に応じて記憶部１２に格納された図柄を増加させて、褒め表示７３で表示させることができる選択用図柄７１及び装飾図柄６２を増やしてもよい。例えば、トイレトレーニングを５回成功すると図柄を増加させることにした場合に、トイレトレーニングを７回行い、１回目と６回目に撮影画像を取得することができず、２〜５回目及び７回目に撮影画像を取得することができた場合には、７回目のトイレトレーニングで撮影画像を取得すると、５回のトイレトレーニングの成功によって、図柄を増加させるということにすることもできる。記憶部１２に格納された図柄を増加させることで、乳幼児がトイレトレーニングを成功させようと思う意欲を向上させやすくなり、乳幼児にトイレトレーニングを継続させやすくすることができる。
【０１１９】
さらに、プログラムを最初に起動してから所定時間が経過するまでにおける褒め表示７３を表示した回数に対する、図柄を増加させる回数を、所定時間が経過した後における褒め表示７３を表示した回数に対する、図柄を増加させる回数よりも多くしてもよい。具体的には、プログラムを最初に起動してから３日間（所定時間）は、褒め表示７３を５回表示した場合に図柄を１つ増加させることとし、プログラムを最初に起動して３日後からは、褒め表示７３を７回表示した場合に図柄を１つ増加させることにしてもよい。つまり、所定時間が経過するまでは、乳幼児にトイレトレーニングを楽しいものと感じてもらえるようにして、トイレトレーニングに慣れやすくさせる。そして、所定時間経過後のトイレトレーニングに慣れた頃に、新しい図柄を増やす機会を減らすことで、トイレトレーニングをより継続させやすくすることができる。
【０１２０】
また、所定時間が経過した後で、所定期間に対する褒め表示７３を表示させる回数が所定の回数よりも少ない場合には、所定期間における褒め表示７３を表示させる回数に対する
Ｓ６５における図柄を増加させる回数をより増加させてもよい。例えば、プログラムを最初に起動して３日後（所定時間経過後）において、褒め表示７３を７回表示した場合に図柄を１つ増加させ、１日（所定期間）における褒め表示７３の表示回数が予め設定された数よりも少ない場合には、褒め表示７３を５回表示した場合に図柄を１つ増加させることができる。このように、乳幼児がトイレトレーニングに飽きてきた頃に新しい図柄をより多く表示させることで、乳幼児はトイレトレーニングに対して関心を持ちやすくなり、トイレトレーニングを継続させやすくすることができる。
【０１２１】
さらに、上記の実施形態は、プログラムが前述した各種の処理をコンピューター又はマイクロプロセッサに実行させることにより実現可能である。この場合、全ての処理をプログラムとして準備していてもよいし、一部の処理をハードウェアに処理させ残りの処理をプログラムとして準備していてもよい。
【０１２２】
また、実行可能なプログラムが記憶された非一時的なコンピューター可読媒体（ｎｏｎ−ｔｒａｎｓｉｔｏｒｙ  ｃｏｍｐｕｔｅｒ  ｒｅａｄａｂｌｅ  ｍｅｄｉｕｍ  ｗｉｔｈ  ａｎ  ｅｘｅｃｕｔａｂｌｅ  ｐｒｏｇｒａｍ  ｔｈｅｒｅｏｎ）を用いて、コンピューターにプログラムを供給することも可能である。なお、非一時的なコンピューターの可読媒体の例は、磁気記録媒体（例えばフレキシブルディスク、磁気テープ、ハードディスクドライブ）、ＣＤ−ＲＯＭ（Ｒｅａｄ  Ｏｎｌｙ  Ｍｅｍｏｒｙ）等がある。
【符号の説明】
【０１２３】
１  端末（コンピューター）、１ａ  画面、１１  制御部、１１１  個人情報入力受付処理部、１１２  取得処理部、１１３  増加処理部、１１４  褒め表示処理部、１１５  表示処理部、１１６  入力受付処理部、１２  記憶部、１３  入力部、１４  画面（表示部）、１５  通信部、１６  カメラ（撮影部）、２０  個人情報入力表示、２１  名前欄、２２  生年月日欄、２３  男女欄、２４  アイコン、３０  メニュー表示、３１  キャラクター、３２  設定、３３  アラーム、３４  記録、３５  カメラ、５０  記録する表示、６０  撮影用画面、６１  撮影待機画像、６１ａ  トイレ、６２  装飾図柄、６２ａ  王冠画像、６２ｂ  星柄画像、６３  シャッターボタン、６４  終了ボタン、６５  撮影後画面、６６  クリアボタン、６７  選択用図柄表示ボタン、６８  保存ボタン、６９  キャンセルボタン、７０  選択用図柄の一覧、７１  選択用図柄、７３  褒め表示、８０  選択肢表示画面、８１  カード、８２  スキンシップ方法の表示画面、８４  ＴＯＰボタン、８５  記録ボタン、１００  記録リスト、１０２  カレンダーボタン、１０３  戻るボタン、１０４  記録するボタン、１０５  卒業ボタン、１１０  カレンダー表示、１２０  入力画面、１２１  日付、１２２  戻るボタン、１２３  回数、１２４  メモ欄、１２５  アイコン、１２６  登録ボタン、２００  誘導表示、２０１  キャラクター
【図１】
2018163242.tif 000003
【図２】
2018163242.tif 000004
【図３】
2018163242.tif 000005
【図４】
2018163242.tif 000006
【図５】
2018163242.tif 000007
【図６】
2018163242.tif 000008
【図７】
2018163242.tif 000009
【図８】
2018163242.tif 000010
【図９】
2018163242.tif 000011
【図１０】
2018163242.tif 000012
【図１１】
2018163242.tif 000013
【図１２】
2018163242.tif 000014
【図１３】
2018163242.tif 000015
【図１４】
2018163242.tif 000016
【図１５】
2018163242.tif 000017
【図１６】
2018163242.tif 000018
【図１７】
2018163242.tif 000019
【図１８】
2018163242.tif 000020
【図１９】
2018163242.tif 000021
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
撮影部及び表示部を備えたコンピューターに、
トイレに行った乳幼児が前記撮影部によって撮影された撮影画像を取得する取得処理と、
所定の図柄と前記撮影画像を含んだ、前記乳幼児を褒めるための褒め表示を、前記表示部に表示させる褒め表示処理を実行させるトイレトレーニング用プログラムであって、
前記図柄は、予め記憶された複数の異なる記憶図柄から選択された１又は複数の図柄であり、
前記記憶図柄のうちの複数の選択用図柄を前記表示部に表示させる表示処理を実行させ、
前記褒め表示処理において、前記選択用図柄のうち、前記コンピューターの操作者又は前記乳幼児によって選択された１又は複数の図柄を、前記表示部に表示させることを特徴とするトイレトレーニング用プログラム。
【請求項２】
請求項１に記載のトイレトレーニング用プログラムであって、
前記選択用図柄の数を増加させる処理を実行させることを特徴とするトイレトレーニング用プログラム。
【請求項３】
請求項２に記載のトイレトレーニング用プログラムであって、
前記選択用図柄の数を増加させる処理において増加された図柄を前記表示部に自動的に表示させることを特徴とするトイレトレーニング用プログラム。
【請求項４】
請求項１から３のいずれか１項に記載のトイレトレーニング用プログラムであって、
前記乳幼児の性別及び年齢の少なくとも１つの個人情報の入力を受け付ける個人情報入力受付処理を実行させ、
前記選択用図柄は、前記記憶図柄の中から前記個人情報に対応して選択された図柄であることを特徴とするトイレトレーニング用プログラム。
【請求項５】
請求項１から４のいずれか１項に記載のトイレトレーニング用プログラムであって、
前記撮影部によってプログラム起動識別子が撮影されると前記プログラムを起動させ、
前記選択用図柄は、前記記憶図柄の中から前記プログラム起動識別子に対応して選択された図柄であることを特徴とするトイレトレーニング用プログラム。
【請求項６】
請求項１から５のいずれか１項に記載のトイレトレーニング用プログラムであって、
前記褒め表示処理の後に、異なるスキンシップの方法に対応付けられた複数の選択肢を表示させ、
前記複数の選択肢は、前記スキンシップの方法が隠された状態であり、
前記コンピューターの操作者又は前記乳幼児によって、前記複数の選択肢のうちの１つの選択肢が選択されると、選択された前記選択肢に対応付けられた前記スキンシップの方法を表示させることを特徴とするトイレトレーニング用プログラム。
【請求項７】
請求項１から５のいずれか１項に記載のトイレトレーニング用プログラムであって、
前記褒め表示処理の後に、前記選択用図柄とは異なる複数の新しい図柄に対応付けられた複数の新選択肢を表示させ、
前記複数の新選択肢は、前記新しい図柄が隠された状態であり、
前記コンピューターの操作者又は前記乳幼児によって前記複数の新選択肢のうちの１つの新選択肢が選択されると、前記新しい図柄を表示させ、
前記新しい図柄を記憶させて、前記選択用図柄の数を増加させる処理を実行させることを特徴とするトイレトレーニング用プログラム
【請求項８】
請求項２に記載のトイレトレーニング用プログラムであって、
前記乳幼児のトイレトレーニングのときの様子についての入力を受け付ける入力受付処理を実行させ、
前記選択用図柄の数を増加させる処理を、前記入力受付処理の実行回数に応じて実行させることを特徴とするトイレトレーニング用プログラム。
【請求項９】
請求項７に記載のトイレトレーニング用プログラムであって、
前記乳幼児のトイレトレーニングの達成度合いの入力を受け付ける処理を実行させ、
受け付けた前記達成度合いに応じて、前記複数の新選択肢を表示させる処理を実行させることを特徴とするトイレトレーニング用プログラム。
【請求項１０】
請求項１から９のいずれか１項に記載のトイレトレーニング用プログラムであって、
前記取得処理の前に、前記乳幼児をトイレに誘導するための誘導表示を前記表示部に表示させる誘導表示処理を実行させ、
前記誘導表示は、前記乳幼児が使用する吸収性物品に関連付けられたキャラクターがトイレに行く姿を示した画像又は動画であることを特徴とするトイレトレーニング用プログラム。
【請求項１１】
コンピューターが、
トイレに行った乳幼児が前記コンピューターに備えられた撮影部によって撮影された撮影画像を取得する取得ステップと、
所定の図柄と前記撮影画像を含んだ、前記乳幼児を褒めるための褒め表示を、前記コンピューターに備えられた表示部に表示させる褒め表示ステップと、を有するトイレトレーニング方法であって、
前記図柄は、予め記憶された複数の異なる記憶図柄から選択された１又は複数の図柄であり、
前記コンピューターが、前記記憶図柄のうちの複数の選択用図柄を前記表示部に表示させるステップを備え、
前記褒め表示ステップにおいて、前記選択用図柄のうち、前記コンピューターの操作者又は前記乳幼児によって選択された１又は複数の図柄を、前記表示部に表示させることを特徴とするトイレトレーニング方法。
【請求項１２】
トイレに行った乳幼児がコンピューターシステムに備えられた撮影部によって撮影された撮影画像を取得する取得処理部と、
所定の図柄と前記撮影画像を含んだ、前記乳幼児を褒めるための褒め表示を、前記コンピューターシステムに備えられた表示部に表示させる褒め表示処理部と、を有するトイレトレーニング用コンピューターシステムであって、
前記図柄は、予め記憶された複数の異なる記憶図柄から選択された１又は複数の図柄であり、
前記記憶図柄のうちの複数の選択用図柄を前記表示部に表示させ、
前記褒め表示処理部は、前記選択用図柄のうち、前記コンピューターシステムの操作者又は前記乳幼児によって選択された１又は複数の図柄を、前記表示部に表示させることを特徴とするトイレトレーニング用コンピューターシステム。
【請求項１３】
撮影部及び表示部を備えたコンピューターに、
トイレに行った乳幼児が前記撮影部によって撮影された撮影画像を取得する取得処理と、
所定の図柄と前記撮影画像を含んだ、前記乳幼児を褒めるための褒め表示を、前記表示部に表示させる褒め表示処理を実行させるトイレトレーニング用プログラムであって、
前記図柄は、予め記憶された複数の異なる記憶図柄から選択された１又は複数の図柄であり、
前記記憶図柄のうちの複数の選択用図柄を前記表示部に表示させる表示処理を実行させ、
前記選択用図柄の数を増加させる処理を実行させ、
前記乳幼児のトイレトレーニングのときの様子についての入力を受け付ける入力受付処理を実行させ、
前記選択用図柄の数を増加させる処理を、前記入力受付処理の実行回数に応じて実行させることを特徴とするトイレトレーニング用プログラム。
【請求項１４】
コンピューターが、
トイレに行った乳幼児が前記コンピューターに備えられた撮影部によって撮影された撮影画像を取得する取得ステップと、
所定の図柄と前記撮影画像を含んだ、前記乳幼児を褒めるための褒め表示を、前記コンピューターに備えられた表示部に表示させる褒め表示ステップと、を有するトイレトレーニング方法であって、
前記図柄は、予め記憶された複数の異なる記憶図柄から選択された１又は複数の図柄であり、
前記記憶図柄のうちの複数の選択用図柄を前記表示部に表示させるステップを有し、
前記選択用図柄の数を増加させるステップを有し、
前記乳幼児のトイレトレーニングのときの様子についての入力を受け付ける入力受付ステップを有し、
前記選択用図柄の数を増加させるステップを、前記入力受付ステップの実行回数に応じて実行することを特徴とするトイレトレーニング方法。
【請求項１５】
トイレに行った乳幼児がコンピューターシステムに備えられた撮影部によって撮影された撮影画像を取得する取得処理部と、
所定の図柄と前記撮影画像を含んだ、前記乳幼児を褒めるための褒め表示を、前記コンピューターシステムに備えられた表示部に表示させる褒め表示処理部と、を有するトイレトレーニング用コンピューターシステムであって、
前記図柄は、予め記憶された複数の異なる記憶図柄から選択された１又は複数の図柄であり、
前記記憶図柄のうちの複数の選択用図柄を前記表示部に表示させ、
前記選択用図柄の数を増加させる増加処理部を有し、
前記乳幼児のトイレトレーニングのときの様子についての入力を受け付ける入力受付処理部を有し、
前記増加処理部は、前記入力受付処理部の入力を受け付ける回数に応じて前記選択用図柄を増加させることを特徴とするトイレトレーニング用コンピューターシステム。
【手続補正２】
【補正対象書類名】明細書
【補正対象項目名】０００６
【補正方法】変更
【補正の内容】
【０００６】
上記目的を達成するための主たる発明は、
撮影部及び表示部を備えたコンピューターに、
トイレに行った乳幼児が前記撮影部によって撮影された撮影画像を取得する取得処理と、
所定の図柄と前記撮影画像を含んだ、前記乳幼児を褒めるための褒め表示を、前記表示部に表示させる褒め表示処理を実行させるトイレトレーニング用プログラムであって、
前記図柄は、予め記憶された複数の異なる記憶図柄から選択された１又は複数の図柄であり、
前記記憶図柄のうちの複数の選択用図柄を前記表示部に表示させる表示処理を実行させ、
前記褒め表示処理において、前記選択用図柄のうち、前記コンピューターの操作者又は前記乳幼児によって選択された１又は複数の図柄を、前記表示部に表示させることを特徴とするトイレトレーニング用プログラムである。
本発明の他の特徴については、本明細書及び添付図面の記載により明らかにする。